(57)【要約】      （修正有）【課題】鑑賞性を高める著作物表示体を提供する。【解決手段】著作物表示体１０は、著作物が多層的に表示される側を表側とし、前記著作物が印刷されている基本層１０１と、前記基本層の表側に配置され、前記著作物が印刷されている透光性の上位層１１１、１２１と、前記基本層および前記上位層を、間隔をあけて支持する支持体１３１とを備える。以上のような構成により、著作物表示体は、漫画の一場面を多層的に表示する。漫画の一場面は、著作物表示体を構成する基本層と各上位層とに分割されて印刷されており、平面的な漫画に立体感が生まれる。【選択図】図１
0003234540.tif 000002
【実用新案登録請求の範囲】
【請求項１】
著作物が多層的に表示される側を表側とし、前記著作物が印刷されている基本層と、
前記基本層の表側に配置され、前記著作物が印刷されている透光性の上位層と、
前記基本層および前記上位層を、間隔をあけて支持する支持体と
を備える著作物表示体。
【請求項２】
表側を正面にして、前記支持体を左右方向に動かした場合、前記基本層に印刷されている前記著作物に対して前記上位層が動く
請求項１に記載の著作物表示体。
【請求項３】
前記上位層は、複数枚から構成される
請求項１または請求項２に記載の著作物表示体。
【請求項４】
前記著作物が印刷されている前記基本層と前記支持体とは紙製であり、前記著作物が印刷されている前記上位層は透光性フィルム製である
請求項１から請求項３のいずれか一項に記載の著作物表示体。
【請求項５】
前記著作物は漫画であり、前記漫画に描かれている一場面が前記基本層と前記上位層とに印刷されている
請求項１から請求項４のいずれか一項に記載の著作物表示体。
【請求項６】
前記上位層には、前記基本層に印刷されている前記漫画の著者名または作品名が記載される
請求項５に記載の著作物表示体。
【請求項７】
前記上位層の形状は、本を開いた際の形がモチーフである
請求項６に記載の著作物表示体。
【請求項８】
前記上位層は、前記基本層の表側に配置される第一上位層と、前記第一上位層の表側に配置される第二上位層とを含み、
前記支持体は、前記基本層、前記第一上位層および前記第二上位層を、間隔をあけて支持し、
前記基本層の裏側には、前記漫画に描かれている一場面の全体が印刷され、
前記基本層の表側、前記第一上位層および前記第二上位層には、前記一場面を構成する各要素が分割して印刷され、
前記基本層の表側から見た場合に、前記漫画に描かれている一場面の全体が多層的に見え、
前記支持体を、表側を正面にして左右方向に動かした場合、前記基本層に印刷されている前記漫画の要素に対して前記第一上位層および第二上位層の各要素が動く
請求項５から請求項７のいずれか一項に記載の著作物表示体。
【請求項９】
折りたたみ可能であり、個包装される
請求項１から請求項８のいずれか一項に記載の著作物表示体。
【考案の詳細な説明】
【技術分野】
【０００１】
本考案は、著作物表示体に関する。
【背景技術】
【０００２】
観賞性を高めるために、平面的な視覚効果だけでなく、立体的な視覚効果も得られるような技術が提案されている。
【０００３】
たとえば、簡単に創作できる組立式の展示物が開示されている（特許文献１）。
【先行技術文献】
【特許文献】
【０００４】
【特許文献１】登録実用新案第３２３２６４３号公報
【考案の概要】
【考案が解決しようとする課題】
【０００５】
しかし、特許文献１に開示された考案では、漫画をはじめとする平面的な著作物を立体的に表現できない。
【０００６】
一つの側面では、鑑賞性を高める著作物表示体を提供することを目的とする。
【課題を解決するための手段】
【０００７】
一つの側面に係る著作物表示体は、著作物が多層的に表示される側を表側とし、前記著作物が印刷されている基本層と、前記基本層の表側に配置され、前記著作物が印刷されている透光性の上位層と、前記基本層および前記上位層を、間隔をあけて支持する支持体とを備える。
【考案の効果】
【０００８】
一つの側面では、鑑賞性を高める著作物表示体を提供できる。
【図面の簡単な説明】
【０００９】
【図１】著作物表示体の一例を示す外観斜視図である。
【図２】著作物表示体を構成する要素の一例を示す分解図である。
【図３】第二上位層の外観斜視図である。
【図４】著作物表示体の右方側面図である。
【図５】著作物表示体を折りたたんだ際の平面図である。
【図６】著作物表示体を折りたたんだ際の上方から見た模式図である。
【図７】著作物表示体に外部から力を加えた際の動き方を上方から見た模式図である。
【図８】著作物表示体に外部から力を加えた際の動き方を表側から見た模式図である。
【図９】著作物表示体にフレームを設けた際の一例を示す外観斜視図である。
【考案を実施するための形態】
【００１０】
本実施の形態では、鑑賞性を高める著作物表示体について、著作物が漫画であるものとして説明する。
【００１１】
著作物表示体は、漫画の一場面を多層的に表示する。漫画の一場面は、著作物表示体を構成する基本層と各上位層とに分割され印刷されている。基本層と各上位層とは間隔をあけて積層しているため、各層に印刷されている平面的な漫画が立体的に見える。また、基本層と各上位層とを支持する支持体に外部から力を加えて、各上位層を基本層に対して左右方向に動かすことにより、鑑賞者は、より立体的な視覚効果を得ながら漫画を鑑賞できる。
【００１２】
以下、本実施の形態を図面に基づいて説明する。
【００１３】
図１は、著作物表示体１０の一例を示す外観斜視図である。説明の便宜上、著作物表示体１０の長辺に沿った方向をＸ軸（左右）方向、短辺に沿った方向をＹ軸（上下）方向、漫画が多層的に表示される方向をＺ軸（表裏）方向とする。
【００１４】
図１に示すように、著作物表示体１０は直方体の外形をしており、上方および下方が開口している。著作物表示体１０は、基本層１０１と第一上位層１１１と第二上位層１２１と支持体１３１とを備える。
【００１５】
基本層１０１と第一上位層１１１と第二上位層１２１との端部は、支持体１３１と連結している。第一上位層１１１は、基本層１０１の表側に間隔をあけて配置される。第二上位層１２１は、第一上位層１１１の表側に間隔をあけて配置される。支持体１３１は、Ｘ軸方向に対向する平板状の右方側板１３１ａおよび左方側板１３１ｂを含む。右方側板１３１ａおよび左方側板１３１ｂにおける長辺の端部は、基本層１０１および第二上位層１２１の端部と連結している。また、右方側板１３１ａおよび左方側板１３１ｂにおける短辺の中央部分は、第一上位層１１１の端部と連結している。
【００１６】
図２は、著作物表示体１０を構成する要素の一例を示す分解図である。図２Ａは、著作物表示体１０を構成する基本層表面１０１ａを示す。図２Ｂは、著作物表示体１０を構成する基本層裏面１０１ｂを示す。図２Ｃは、著作物表示体１０を構成する第一上位層１１１を示す。図２Ｄは、著作物表示体１０を構成する第二上位層１２１を示す。
【００１７】
図２Ａから図２Ｄにおける、基本層１０１と第一上位層１１１と第二上位層１２１とが順に積層されることにより漫画が多層的に表示される。基本層１０１の一方の面は、漫画が多層的に表示される側の基本層表面１０１ａであり、他方の面は、基本層裏面１０１ｂである。
【００１８】
図２Ａ、図２Ｃおよび図２Ｄに示すように、基本層表面１０１ａ、第一上位層１１１および第二上位層１２１には、各層によって異なる要素が印刷される。図２Ａに示すように、基本層表面１０１ａには漫画の一場面の内、背景要素が分割されて印刷される。たとえば、背景要素には景色、描き文字（効果音）などが含まれる。図２Ｃに示すように第一上位層１１１には第一前景要素が、図２Ｄに示すように第二上位層１２１には第二前景要素が、それぞれ分割されて印刷される。たとえば、前景要素には漫画に登場するキャラクタ、当該キャラクタのセリフ、描き文字（効果音）などが含まれる。
【００１９】
図２Ｂに示すように、基本層裏面１０１ｂには、背景要素と第一前景要素と第二前景要素とを合わせたオリジナルの一場面が印刷される。なお、基本層裏面１０１ｂに当該漫画のタイトルが記載されてもよい。
【００２０】
本実施の形態では、基本層１０１および支持体１３１は紙製である。図２Ｃおよび図２Ｄに示すように、第一上位層１１１および第二上位層１２１は、透光性フィルム製のフィルム体２０と、フィルム体２０の外縁部を覆う紙製の額縁部３０とを含む。基本層１０１と、第一上位層１１１および第二上位層１２１のフィルム体２０には、漫画の一場面が印刷される。第一上位層１１１および第二上位層１２１のフィルム体２０が透光性であることから、鑑賞者は、印刷された漫画の一場面を多層的に見ることができる。なお、基本層１０１および支持体１３１は紙製であることに限定されず、プラスチック製シート、金属板などであってもよい。
【００２１】
図２Ｄに示すように、第二上位層１２１の額縁部３０は、書籍を開いた際の形をモチーフとしている。額縁部３０は、下辺の中点に長さ約０．５ｃｍの凹部３０ａを有する。一方、額縁部３０は、凹部３０ａに対向する上辺の中点に、長さ約０．５ｃｍの下辺に向かう凸部３０ｂを有する。額縁部３０が有する凹部３０ａおよび凸部３０ｂにより、鑑賞者は、漫画を開きながら鑑賞しているような気分になれる。
【００２２】
なお、本実施の形態では、第二上位層１２１の額縁部３０が書籍を開いた際の形をモチーフとするものとして説明したが、携帯ゲーム機、キャンバスなどの形をモチーフとしてもよい。また、第二上位層１２１の額縁部３０は、凹部３０ａおよび凸部３０ｂを有さない形でもよい。
【００２３】
第二上位層１２１の額縁部３０には、著作物表示体１０が表示する漫画の作品情報が記載される。漫画の作品情報は、たとえば、著者名、作品名、巻数、ページ数、出版年月などである。額縁部３０には、著者名、作品名、巻数、ページ数、出版年月などからいずれかを組み合わせた漫画の作品情報が記載されてもよく、漫画の作品情報が記載されなくてもよい。
【００２４】
なお、漫画の作品情報が記載される位置は、図２Ｄで示しているような額縁部３０の左下に限定されない。たとえば、額縁部３０の左上、右下もしくは右上に記載されてもよい。
【００２５】
なお、本実施の形態では、著作物表示体１０を構成する上位層は二枚であるものとして説明したが、漫画の題材によっては、一枚または三枚以上であってもよい。
【００２６】
図３は、第二上位層１２１の外観斜視図である。図３に示すように、第二上位層１２１の短辺には、右端部分に右方切片部１２１ａが、左端部分に左方切片部１２１ｂが、裏側に向けて延設されている。図示はしないが、基本層１０１および第一上位層１１１は、第二上位層１２１と同様に左右両端に切片を有する。
【００２７】
基本層１０１の右方切片、第一上位層１１１の右方切片および右方切片部１２１ａには接着剤が塗布され、各右方切片は、接着剤を介して右方側板１３１ａの裏面に貼り付けられる。左方についても、同様にして貼り付けられる。
【００２８】
なお、右方切片部１２１ａは、基本層１０１と第一上位層１１１とを間隔をあけて配置するに十分な長さで、第二上位層１２１の短辺に裏側に向けて延設されてもよい。当該形態の場合、基本層１０１の右方切片と第一上位層１１１の右方切片とに接着剤が塗布され、各右方切片は、接着剤を介して右方切片部１２１ａの裏面に貼り付けられる。左方についても、同様にして貼り付けられる。つまり、右方切片部１２１ａおよび左方切片部１２１ｂは、著作物表示体１０の側面を構成する。
【００２９】
図４は、著作物表示体１０の右方側面図である（図１III参照）。左方側面図も同様であるため、図示は省略する。図４に示すように、支持体１３１の右方側板１３１ａには、上下方向に対して平行に折り目（点線）が形成されており、内側に折りたたむことができる構造となっている。折り目（点線）を形成する箇所は、右方側板１３１ａおよび左方側板１３１ｂともに、基本層１０１と第一上位層１１１との中央部分および第一上位層１１１と第二上位層１２１との中央部分である。
【００３０】
図５は、著作物表示体１０を折りたたんだ際の平面図である。著作物表示体１０は折りたたむことができるため、観賞用の置物として利用しない際には、持ち運びに便利である。なお、持ち運ぶにあたって、著作物表示体１０を個包装してもよい。
【００３１】
図６は、著作物表示体１０を折りたたんだ際の上方から見た模式図である（図５Ｖ参照）。図６Ａは、内側に折りたたんだ著作物表示体１０を上方から見た模式図である。図６Ａに示すように、支持体１３１の右方側板１３１ａおよび左方側板１３１ｂが内側に折りたたまれることにより、基本層１０１と各上位層の間隔が折りたたまれる前より狭くなる。図６Ｂは、斜めに折りたたんだ著作物表示体１０を上方から見た模式図である。図６Ｂに示すように、著作物表示体１０は、内側ではなく斜めに折りたたまれる態様であってもよい。
【００３２】
図７は、著作物表示体１０に外部から力を加えた際の動き方を上方から見た模式図である。図７に示すように、著作物表示体１０の支持体１３１は、外部から力が加わらない場合には定常状態となり、外部から力が加わると定常状態から変形するように構成される。鑑賞者は支持体１３１に外部から力を加えて、第一上位層１１１および第二上位層１２１を基本層１０１に対して左右方向に動かすことができる。そのため、上位層に印刷されている各前景要素が基本層１０１に印刷されている背景要素の空間上にて、動いているように見える。
【００３３】
図８は、著作物表示体１０に外部から力を加えた際の動き方を表側から見た模式図である。図８Ａは、鑑賞者が著作物表示体１０の支持体１３１に外部から力を加えていない定常状態を示す。図８Ｂは、鑑賞者が著作物表示体１０の支持体１３１に外部から力を加えた際に、定常状態から支持体１３１が傾いている状態を示す。図８Ｃは、鑑賞者が著作物表示体１０の支持体１３１に外部から力を加えた際に、基本層１０１と第一上位層１１１と第二上位層１２１とが一枚に重なった状態を示す。
【００３４】
鑑賞者は、支持体１３１に外部から力を加えて、第一上位層１１１および第二上位層１２１を基本層１０１に対して左右方向に動かすことができる。鑑賞者が左右方向の動きを表側から見た際には、図８Ａから図８Ｃに示すように、背景要素に対する各前景要素の移動量が異なって見える。
【００３５】
図８Ｂに示すように、第二上位層１２１に印刷されている第二前景要素は、第一上位層１１１に印刷されている第一前景要素に比べて、移動量が大きい。図８Ｂの状態から支持体１３１に外部から力を加えた際には、図８Ｃに示すように、第二上位層１２１に印刷されている第二前景要素と、第一上位層１１１に印刷されている第一前景要素とは、ほとんど同じ量だけ移動する。上述した移動量の異なりによって、鑑賞者は、立体的に漫画を鑑賞することができる。
【００３６】
なお、本実施の形態では、著作物表示体１０を直方体であるものとして説明したが、円形、楕円形もしくは多角形の立体であってもよい。
【００３７】
[変形例１]
図１において、著作物表示体１０は上方および下方が開口しているものとして説明したが、右方および左方が開口し、上方および下方に支持体１３１を設ける形態であってもよい。当該形態の場合、鑑賞者が支持体１３１に外部から力を加える際には、上下方向に力を加えることにより、第一上位層１１１および第二上位層１２１を基本層１０１に対して動かすことができる。
【００３８】
[変形例２]
図９は、著作物表示体１０にフレーム４０を設けた際の一例を示す外観斜視図である。図９に示すように、著作物表示体１０の全体を囲うようにして、プラスチックまたは木などの頑丈な素材のフレーム４０を設けてもよい。フレーム４０を設けることにより、著作物表示体１０をより見栄えの良い置物として漫画の鑑賞に用いることができる。鑑賞者は、著作物表示体１０を正面（表側）または斜めから鑑賞することにより、立体的な視覚効果を得ながら漫画を楽しむことができる。また、フレーム４０を持ち上げて上下左右方向に傾けることにより、鑑賞者は、立体的に漫画を鑑賞できる。
【００３９】
なお、本実施の形態では、著作物を漫画であるものとして説明したが、ゲームの一場面、イラスト、絵画、図鑑内の解説図面（文章）などであってもよい。
【００４０】
今回開示された実施の形態はすべての点において例示であり、制限的なものではない。本考案の技術的範囲は上記のように開示された意味ではなく、実用新案登録請求の範囲の記載に基づいて定められ、実用新案登録請求の範囲と均等の意味および範囲内において、すべての変更が含まれる。
【符号の説明】
【００４１】
１０      著作物表示体
１０１    基本層
１０１ａ  基本層表面
１０１ｂ  基本層裏面
１１１    第一上位層
１２１    第二上位層
１２１ａ  右方切片部
１２１ｂ  左方切片部
２０      フィルム体
３０      額縁部
３０ａ    凹部
３０ｂ    凸部
１３１    支持体
１３１ａ  右方側板
１３１ｂ  左方側板
４０      フレーム
【図１】
0003234540.tif 000003
【図２】
0003234540.tif 000004
【図３】
0003234540.tif 000005
【図４】
0003234540.tif 000006
【図５】
0003234540.tif 000007
【図６】
0003234540.tif 000008
【図７】
0003234540.tif 000009
【図８】
0003234540.tif 000010
【図９】
0003234540.tif 000011